(57)【要約】【課題】  縦樋、及び屋根の横樋から縦樋への流水経路が外部に露出せず、且つ優れた雨水排水性能を備えた簡易構造物の提供。【解決手段】  前側に向けて下り勾配の垂木７，１４上に屋根パネル４を載置した屋根１と、屋根を前側で支える柱２とを備え、屋根１は、前枠３に屋根パネル４上を流下する雨水を受ける横樋５を有し、横樋の少なくとも一箇所に排水孔６を有し、排水孔は特定垂木７の上方に位置しており、特定垂木７は、内部に中空状の補助樋収納部８を長手方向に有し、補助樋収納部に補助樋９を収納して取付けてあり、且つ補助樋収納部の上面に横樋の排水孔と連通する連通孔１０を有し、柱２は、内部に中空状の縦樋部１１を長手方向に有し、柱の上端は特定垂木の先端に連結してあり、補助樋の前側端３１は縦樋部１１に臨んでおり、補助樋の後側端２７は連通孔１０よりも後側に位置している。【選択図】      図１
2006052592.tif 000002
【特許請求の範囲】
【請求項１】
前側に向けて下り勾配の垂木上に屋根パネルを載置した屋根と、屋根を前側で支える柱とを備え、屋根は、前枠に屋根パネル上を流下する雨水を受ける横樋を有し、横樋の少なくとも一箇所に排水孔を有し、排水孔は特定垂木の上方に位置しており、特定垂木は、内部に中空状の補助樋収納部を長手方向に有し、補助樋収納部に補助樋を収納して取付けてあり、且つ補助樋収納部の上面に横樋の排水孔と連通する連通孔を有し、柱は、内部に中空状の縦樋部を長手方向に有し、柱の上端は特定垂木の先端に連結してあり、補助樋の前側端は縦樋部に臨んでおり、補助樋の後側端は連通孔よりも後側に位置していることを特徴とする簡易構造物。
【発明の詳細な説明】
【技術分野】
【０００１】
本発明は、垂木上に屋根パネルを載置した下り勾配の屋根を持つ簡易構造物に関するものであり、より詳しくはそのような簡易構造物の雨水排水構造の改良に関する。
【背景技術】
【０００２】
従来のテラス、カーポート等の簡易構造物においては、屋根の軒先から雨水が落ちないようにするために雨樋を設けている。通常雨樋は、屋根の前枠に横樋を設け、一方の柱の側面に塩ビパイプよりなる縦樋をサドル金具で取付け、横樋と縦樋をジャバラ状の連結パイプ等で連結して構成してある。縦樋は、柱の周囲に取って付けたように出っ張るため、簡易構造物の美観を損ねる。そこで、特許文献１や特許文献２に記載されているように、柱の内部に中空状の縦樋部を設け、外付けの縦樋を無くしたものが提案されている。
【特許文献１】特開平７−１３９１０７号公報
【特許文献２】実開平７−１６８０３号公報
【発明の開示】
【発明が解決しようとする課題】
【０００３】
上記のように柱の内部に縦樋部を設けるときは、横樋で集めた屋根の雨水が柱内部の縦樋部に漏れなく流れるように、横樋と縦樋部を連結する必要がある。特許文献１に記載されたものは、横樋と縦樋部とを繋ぐパイプが柱の屋外側に露出するため、依然として美観を損ねることになる。特許文献２に記載されたものは、柱を屋根の軒先よりも屋外側にずれた位置に配置し、柱上端部と屋根の軒先とを、屋根の横樋から柱の縦樋部への雨水の流水経路が一体に形成されたアルミ鋳物製のブラケット本体と、ブラケット本体内に嵌合して取り付けられ、柱上端部と屋根の軒先を連結する連結部材とで連結している。この構造によれば、複雑な形状のブラケット本体を用いるためコストが増大し、またブラケット本体に設ける雨水の流水経路は、ブラケット本体内に収容する連結具を逃がすように狭く形成してあるので、雨量が多いと連結部から雨水が溢れたり漏れたりするおそれがある。
本発明は、以上に述べたような実情に鑑みてなされたものであって、縦樋、及び屋根の横樋から縦樋への流水経路が外部に露出せず、且つ優れた雨水排水性能を備えた簡易構造物の提供を目的とする。
【課題を解決するための手段】
【０００４】
上記の課題を達成するために本発明の簡易構造物は、前側に向けて下り勾配の垂木上に屋根パネルを載置した屋根と、屋根を前側で支える柱とを備え、屋根は、前枠に屋根パネル上を流下する雨水を受ける横樋を有し、横樋の少なくとも一箇所に排水孔を有し、排水孔は特定垂木の上方に位置しており、特定垂木は、内部に中空状の補助樋収納部を長手方向に有し、補助樋収納部に補助樋を収納して取付けてあり、且つ補助樋収納部の上面に横樋の排水孔と連通する連通孔を有し、柱は、内部に中空状の縦樋部を長手方向に有し、柱の上端は特定垂木の先端に連結してあり、補助樋の前側端は縦樋部に臨んでおり、補助樋の後側端は連通孔よりも後側に位置していることを特徴とする。このように構成した本発明の簡易構造物は、屋根に降った雨水が横樋で集められ、横樋の排水孔から特定垂木内部の補助樋に流れ、補助樋から柱内部の縦樋部を通って排水される。特定垂木に関して、柱が屋根の両側の端部にしかない場合には妻垂木が特定垂木になるが、柱が横並びに３本以上ある場合には中間の垂木を特定垂木とすることもできる。
【発明の効果】
【０００５】
本発明の簡易構造物は、特定垂木内部に補助樋を、柱内部に縦樋部をそれぞれ設け、屋根の雨水が横樋から補助樋、縦樋部へと流れるようにしたので、従来のように縦樋、及び横樋から縦樋への流水経路が外部に露出せず、美観が極めて良好となる。また、屋根の横樋から補助樋、柱の縦樋部へと雨水がよどみなくスムーズに流れ、雨水の排水性が良好であり、また補助樋の前側端を縦樋部に臨ませてあるので、柱と特定垂木の連結部から雨水が漏れる心配がない。さらに、特定垂木内部に補助樋収納部を長手方向に設けてあるので、屋根パネルを特定垂木の長手方向の後側に偏って取付ける場合にも、補助樋の長さを変えるだけで対応できる。
【発明を実施するための最良の形態】
【０００６】
以下、本発明の実施の形態を図面に基づいて説明する。図１〜図９は本発明の簡易構造物の一実施形態であって、住宅の庭先等に設けるテラスの場合を示している。テラスの屋根１は、図８に示すように、前側に向けて下り勾配となっており、屋根１の上側端部は既存の建物３０の躯体に固定してあり、屋根１の前側は２本の柱２，２で支えている。
【０００７】
本テラスの構造についてより詳しく説明すると、テラスの骨組みは、既存の建物３０の躯体に垂木掛け１２を固定して設け、建物３０前方の所定の位置に２本の柱２，２を基礎３４に埋め込んで立設し、垂木掛け１２の左右端部と柱２，２の上端部に連結して左右の妻垂木７，７を取付け、左右の柱２と妻垂木７の連結部間に梁１３を架設し、垂木掛け１２と梁１３間に３本の垂木１４を架設して構成してある。テラスの屋根１は、図１と図２に示すように、梁１３上に前枠３を取付け、垂木掛け１２上に後枠１５を取付け、妻垂木７と垂木１４の上面にパネル受け１６ａ，１６ｂをそれぞれ取付け、樹脂製の屋根パネル４を、前後の端部を前枠３と後枠１５に長手方向に形成してある溝に挿入し且つ側端部をパネル受け１６ａ，１６ｂに載置して設置し、パネル受け１６ａ，１６ｂにパネル押え１７ａ，１７ｂをそれぞれ取付けて構成してある。図中の１８は妻垂木７の上側端部を垂木掛け１２に連結している連結金具であり、１９は妻垂木７の下側端部を柱２上端部に連結している連結金具であり、２０は梁１３の端部を柱２の上端部に連結している連結金具である。柱２や妻垂木７等の構造材や屋根の枠には、アルミニウム合金の押出形材を使用している。
【０００８】
前枠３は、屋根パネル４上を流下する雨水を受ける横樋５を有しており、前枠３の左右両端部は妻垂木７上に載置してある。横樋５は、図４と図７に示すように、妻垂木７上の端部に円形の排水孔６を設けてあり、横樋５の小口は側板２１を取付けて塞いである。
【０００９】
妻垂木７は、図３に示すように、中央部に矩形の中空部２２を有し、周囲の面に開口部が溝状に形成された本体部材２３と、本体部材２３の周囲の四面に開口縁部に係止して取付けた嵌め込み式のカバー２４ａ，２４ｂ，２４ｃとで構成してある。上面のカバー２４ａは、本体部材２３にビス３５で固定してある。妻垂木７は、断面の上側に中空状の補助樋収納部８が長手方向全長に亘って形成され、図１に示すように、補助樋収納部８の柱２側の端部に断面コ字形の補助樋９を収納し、ビス２５で本体部材２３に固定してある。妻垂木７の上面に取付けたカバー２４ａには、図４に示すように、横樋５の排水孔６と連通する円形の連通孔１０が設けてあり、排水孔６と連通孔１０には短いパイプ２６を嵌挿してある。補助樋９の後側端２７は、連通孔１０よりも後側に位置している。
【００１０】
柱２は、図５に示すように、妻垂木７と同様に、妻垂木と同一の断面形状の本体部材２８、及び本体部材の周囲の面に取付けるカバー２９ａ，２９ｂ，２９ｃとで構成してある。妻垂木７では補助樋収納部８となっていた部分は柱２の前側に位置し、補助樋９から流れてくる雨水を下に流す縦樋部１１となっている。補助樋９の前側端３１は、図１に示すように、縦樋部１１に臨ませてある。妻垂木７と柱２は、端部を斜めに切断し、パッキン３２を挟んでお互いの端面を突き合わせ、Ｌ形の連結金具１９の各腕部を両方の本体部材の中空部２２にそれぞれ差し込んでボルト３３で固定することで連結している。妻垂木７と柱２の側面のカバー２４ｂ，２９ｂは、妻垂木７と柱２を連結した後から取付けられ、連結金具１９固定用のボルト３３は、このカバーで隠蔽される。
【００１１】
本テラスは以上のように構成され、雨が降ると雨水は屋根パネル４上を流下して前枠３の横樋５に溜まり、横樋５に溜まった雨水は、図１に示すように、端部の排水孔６と連通孔１０に嵌挿したパイプ２６を通って妻垂木７内部の補助樋９に流れ込み、補助樋９から柱２の縦樋部１１を流れて柱２の根元から排水される。なお、横樋５の排水孔６は左右両端部に設け、左右の妻垂木７，７の両方に連通孔１０と補助樋９を設け、左右両方の柱２，２から排水するようにしてもよいが、横樋５の一方側の端部のみに排水孔６を設け、排水孔を設けた側の妻垂木７のみに連通孔１０と補助樋９を設けて、一方の柱２のみから排水するようにしてもよい。本テラスは、屋根の横樋５から妻垂木７内の補助樋９を通って柱２内部の縦樋部１１に雨水が流れるようにしたので、従来のもののように柱２に後付けの縦樋が無く、屋根の横樋と縦樋との連結パイプも無いため、外観が極めて良好となっている。また補助樋９は、後側端２７が横樋５の排水孔６及び連通孔１０よりも後側に位置し、前側端３１が柱の縦樋部１１に臨ませてあるので、妻垂木７と柱２の連結部から雨水が漏れる心配がない。さらに、縦樋や連結パイプを後から取付ける必要がないので、テラスの設置に要する時間が短縮される。
【００１２】
図１０と図１１は、本発明のテラスの別の実施形態を示している。妻垂木７と柱２は先の実施形態と同じものを使用しているが、屋根パネル４を既存の建物３０の躯体側に偏って設けてあり、屋根の前枠３と柱２の間には間隔が形成されている。このようにする場合は、図１１に示すように、補助樋９を横樋５の排水孔６及び連通孔１０の後側にまで達する長いものに交換するだけで、先の実施形態のものと同じように雨水を排水できる。
【００１３】
本発明の簡易構造物は、以上に述べた実施形態に限定されない。テラスのように、建物の壁に固定して設けるものに限らず、カーポートのような独立した構造物であってもよい。屋根は、直線的に傾斜するものに限らず、アール状に下降傾斜するものであってもよい。実施形態のテラスのように、柱が屋根の左右の端部位置にしかない場合には、妻垂木が特定垂木になるが、例えば屋外通路の屋根のように、屋根が横に長いもので、柱が軒先に３本以上ある場合には、中間の垂木を特定垂木とすることもできる。
【図面の簡単な説明】
【００１４】
【図１】図８におけるＡ−Ａ断面図である。
【図２】図８におけるＢ−Ｂ断面図である。
【図３】図２におけるＣ−Ｃ断面図である。
【図４】図２におけるＤ−Ｄ断面図である。
【図５】図２におけるＥ−Ｅ断面図である。
【図６】垂木とその周辺の断面図である。
【図７】妻垂木と柱の連結部の斜視図である。
【図８】（ａ）は、本発明の簡易構造物の一実施形態であるテラスの正面図であり、（ｂ）は同側面図である。
【図９】同平面図である。
【図１０】本発明に係るテラスの別の実施形態を示す斜視図である。
【図１１】図１０の実施形態のテラスの屋根の断面図である。
【符号の説明】
【００１５】
１  屋根
２  柱
３  前枠
４  屋根パネル
５  横樋
６  排水孔
７  妻垂木（特定垂木）
８  補助樋収納部
９  補助樋
１０  連通孔
１１  縦樋部
１４  垂木
２７  補助樋の後側端
３１  補助樋の前側端
【図１】
2006052592.tif 000003
【図２】
2006052592.tif 000004
【図３】
2006052592.tif 000005
【図４】
2006052592.tif 000006
【図５】
2006052592.tif 000007
【図６】
2006052592.tif 000008
【図７】
2006052592.tif 000009
【図８】
2006052592.tif 000010
【図９】
2006052592.tif 000011
【図１０】
2006052592.tif 000012
【図１１】
2006052592.tif 000013